(57)【特許請求の範囲】
【請求項１】
不透明な複数のゲート・バス電極及び不透明な複数のデータ・バス電極が形成され且つ該ゲート・バス電極と該データ・バス電極との交点に不透明なスイッチング素子が形成されると共に該スイッチング素子に接続された透明な画素電極及び透明な対向電極が形成された一方側の基板と、
前記一方側の基板と同様構成をもち且つ前記不透明な各バス電極或いは前記スイッチング素子の少なくとも一部が重なると共に画素電極には対向電極が且つ対向電極には画素電極がそれぞれ対応するように重ね合わされた他方側の基板と、
前記重ね合わされた一方側の基板と他方側の基板との間に介挿された液晶とを備え、
前記画素に対応して分離独立している対向電極をデータ・バス電極に直接接続して成ること
を特徴とするアクティブ・マトリクス型液晶表示装置。
【請求項２】
同一側の基板上に隣接して形成され且つ同一のスイッチング素子に接続された２画素分の画素電極と、
該画素電極の何れか一方に対応しデータ・バス電極に直接接続された対向電極及び該画素電極の他方に対応し対向バス電極に接続された対向電極と
を備えてなることを特徴とする請求項１記載のアクティブ・マトリクス型液晶表示装置。
【請求項３】
画素電極とバス電極との間に生ずる空隙を対向基板上のバス電極を拡幅して埋めて成ること
を特徴とする請求項１或いは２記載のアクティブ・マトリクス型液晶表示装置。
【請求項４】
スイッチング素子が基板側にゲート電極をもつ逆スタガ形式の薄膜トランジスタであること
を特徴とする請求項１乃至請求項３の何れか１記載のアクティブ・マトリクス型液晶表示装置。
【発明の詳細な説明】
【０００１】
【発明の属する技術分野】
本発明は、画素の面積に対する表示領域（開口部分）の割合、即ち、開口率を大きくしたアクティブ・マトリクス型液晶表示装置に関する。
【０００２】
一般に、アクティブ・マトリクス型液晶表示装置は、ラップ・トップ型パソコンやノート・ブック型パソコンを始め、プロジェクタなどのライトバルブ、ＴＶ受像機など多くの電子機器に用いられている。
【０００３】
アクティブ・マトリクス型液晶表示装置に於いては、画素毎に薄膜トランジスタ（ｔｈｉｎ  ｆｉｌｍ  ｔｒａｎｓｉｓｔｏｒ：ＴＦＴ）などのスイッチング素子が設けられた構成になっていて、各画素毎に独立してオン・オフ制御することができる為、ライン数が多い場合でも、単純マトリクス型液晶パネルに於けるようなデューティ比低下に起因するクロス・トークの問題は起こらない。
【０００４】
然しながら、各画素毎にスイッチング素子やオン・オフ制御に係わるバス・ラインが必要であり、この部分は光を透過しないので、光の透過及び遮断を行う表示領域である開口部の割合、即ち、開口率が小さく、液晶パネルを透過する光量が少ない点が問題になっているので、これを解消しなければならず、本発明は、これに応える一手段を提供する。
【０００５】
【従来の技術】
図２８は従来のアクティブ・マトリクス型液晶表示装置を表す要部説明図であり、（Ａ）は要部斜面、（Ｂ）は要部平面をそれぞれ示している。
【０００６】
図に於いて、１はＴＦＴ基板、２はＴＦＴ、３はゲート・バス電極、４はデータ・バス電極、５は画素電極、６は対向基板、７は対向電極を示している。
【０００７】
図２９は従来のアクティブ・マトリクス型液晶表示装置を表す要部説明図であり、（Ａ）は要部切断側面、（Ｂ）は等価回路をそれぞれ示し、図２８に於いて用いた記号と同記号は同部分を表すか或いは同じ意味を持つものとする。尚、ＬＣは液晶、８は画素（液晶）を示し、液晶ＬＣ中の砂地模様は開口部に対応する液晶を表し、この開口部については、他の図でも同じ表し方をしてある。
【０００８】
図示された液晶表示装置は、標準的な構造であって、ＴＦＴ基板１は、ガラス基板に複数のゲート・バス電極３とデータ・バス電極４とを直交して配設し、その交点にＴＦＴ２を設け、ＴＦＴ２を介して画素電極５が接続されたものからなっている。
【０００９】
また、対向基板６は、ガラス基板の全面に均一な対向電極７を形成したものからなっていて、ＴＦＴ基板１と対向基板６とは貼り合わされ、その間隙に液晶が封入されている。
【００１０】
図３０は図２８及び図２９について説明したアクティブ・マトリクス型液晶表示装置の動作を説明する為の駆動波形を表す線図である。
【００１１】
図に於いて、Ｖg はゲート・バス電圧、Ｖd はデータ・バス電圧、ＶC は対向基板電圧、Ｖs は画素電圧をそれぞれ示している。
【００１２】
図３０を参照しつつ図２８及び図２９について説明した液晶表示装置の動作について説明する。
【００１３】
図示されたＧ選択期間に於いて、ゲート・バス電極３を選択してゲート・バス電圧Ｖg を印加すると、そのゲート・バス電極３に接続されているＴＦＴ２はオンになり、同じく選択されたデータ・バス電極４に印加されたデータ・バス電圧Ｖd がＴＦＴ２及び画素電極５を介して画素（液晶）８に書き込まれる。
【００１４】
画素電極５を介して加えられた画素電圧Ｖs 及び対向電極７に於ける対向基板電圧ＶC の電位差が画素（液晶）８に書き込まれるので、液晶は前記電位差に対応して変動し、光のオン・オフ表示を行う。
【００１５】
Ｇ選択期間に続くＧ非選択期間中は、ゲート・バス電極３にＴＦＴ２のオフ電圧が印加されるので、ＴＦＴ２はオフとなり、次の選択期間に入るまで、液晶８に印加された前記電位差は保持される。
【００１６】
図示されている１フレームは、全ゲート・バス電極３が選択される期間であって、フレーム毎に前記動作が繰り返される。
【００１７】
図３１は従来のアクティブ・マトリクス型液晶表示装置を表す要部切断側面図であり、図２８及び図２９に於いて用いた記号と同記号は同部分を表すか或いは同じ意味を持つものとする。
【００１８】
図に於いて、９はＴＦＴ２に対して光に入射することを防止する為、対向基板６上に形成された遮光膜を示している。
【００１９】
一般に、ＴＦＴ２に光が入射した場合、オフ電圧を印加してもオフにならず、データ・バス電極４と画素電極５とが常に短絡した状態となってしまうので、液晶表示装置全体が不良品になる。そこで、ＴＦＴ２に光を入射させない手段が採られ、図３１に見られるように遮光膜９を対向基板６上に特設している。
【００２０】
本発明では、その基本的構成から、前記手段を採ることが難しいのであるが、本発明の一実施の形態に依れば、この問題を解消できるので、問題提起の為、従来の技術を挙げた。尚、これについては、後に本発明の実施の形態８と対比すると理解できよう。
【００２１】
【発明が解決しようとする課題】
前記説明した従来のアクティブ・マトリクス型液晶表示装置に於いて、ＴＦＴ基板上の一画素は、ゲート・バス電極、データ・バス電極、ＴＦＴ、画素電極に依って構成され、そして、これら二つのバス電極及びＴＦＴには金属薄膜が用いられ、また、画素電極には透明電極が用いられている。
【００２２】
前記のような構成を採っている為、一画素のうち、光を透過し、液晶に依る光のオン・オフ表示に寄与し、開口率に関与するのは画素電極のみであり、他の部材、即ち、両バス電極及びＴＦＴは光を遮断してしまう。
【００２３】
従って、開口率が高いアクティブ・マトリクス型液晶表示装置を実現する為には、不透明である二つのバス電極を細くしたり、或いは、ＴＦＴを小さくすることが考えられている。
【００２４】
然しながら、バス電極を細くした場合、抵抗値が大きくなって印加電圧が低下したり、断線し易くなったりする旨の問題が起こり、また、ＴＦＴを小さくした場合、画素電極への電圧書き込み能力が低下する旨の問題が起こり、実際には不可能であった。
【００２５】
本発明は、簡単な手段に依って、アクティブ・マトリクス型液晶表示装置に於ける開口率を向上し、明るい表示を実現できるようにする。
【００２６】
【課題を解決するための手段】
図１は本発明の原理を解説する為のアクティブ・マトリクス型液晶表示装置を表す要部平面図である。
【００２７】
図に於いて、（Ａ）は一方側の基板を表す平面、（Ｂ）は他方側の基板を表す平面、Ｇ１及びＧ２はゲート・バス電極、Ｄ１及びＤ２はデータ・バス電極、Ｔ１及びＴ２はスイッチング素子、Ｐ１及びＰ２は画素電極、Ｑ１及びＱ２は対向電極、Ｍ１は例えばＱ１など奇数記号側の対向電極を接続する対向バス電極、Ｍ２は例えばＱ２など偶数記号側の対向電極を接続する対向バス電極をそれぞれ示している。
【００２８】
図１で明らかなように、奇数の記号が付与されたゲート・バス電極Ｇ１、データ・バス電極Ｄ１、スイッチング素子Ｔ１、画素電極Ｐ１、対向電極Ｑ１、対向バス電極Ｍ１などは、（Ａ）に見られる一方側基板に配設され、又、偶数の記号が付与されたゲート・バス電極Ｇ２、データ・バス電極Ｄ２、スイッチング素子Ｔ２、画素電極Ｐ２、対向電極Ｑ２、対向バス電極Ｍ２などは、（Ｂ）に見られる他方側基板に配設されている。
【００２９】
一方側基板上に形成された画素電極Ｐ１は、スイッチング素子Ｔ１を介してデータ・バス電極Ｄ１に、また、対向電極Ｑ１は対向バス電極Ｍ１にそれぞれ接続されている。
【００３０】
他方側基板上に形成された画素電極Ｐ２は、スイッチング素子Ｔ２を介してデータ・バス電極Ｄ２に、また、対向電極Ｑ２は対向バス電極Ｍ２にそれぞれ接続されている。
【００３１】
図２は図１の（Ａ）に見られる一方側基板と図１の（Ｂ）に見られる他方側基板とを貼り合わせて構成した液晶表示装置を表す要部説明図であり、図１に於いて用いた記号と同記号は同部分を表すか或いは同じ意味を持つものとする。
【００３２】
図に於いて、（Ａ）は要部平面、（Ｂ）は要部切断側面、ＬＣは液晶をそれぞれ示している。
【００３３】
図から明らかなように、一方側基板と他方側基板とは液晶ＬＣを介して対向した構造になっていて、画素電極Ｐ１と対向電極Ｑ２とが液晶ＬＣを介して向かい合って画素をなし、また、画素電極Ｐ２と対向電極Ｑ１とが液晶ＬＣを介して向かい合って画素をなしていて、更に、ゲート・バス電極Ｇ１及びＧ２、そして、データ・バス電極Ｄ１及びＤ２は、それぞれ重なって対向している。
【００３４】
図３は図１及び図２について説明した液晶表示装置を表す要部等価回路図であり、図１及び図２に於いて用いた記号と同記号は同部分を表すか或いは同じ意味を持つものとする。
【００３５】
図４は図１乃至図３について説明した液晶表示装置の動作を説明する為の駆動波形を表す線図である。
【００３６】
図に於いて、Ｖgon はスイッチング素子をオン状態にするゲート・バス電圧、Ｖgoffはスイッチング素子をオフ状態にするゲート・バス電圧、Ｖ１，−Ｖ１，Ｖ２，−Ｖ２はデータ・バス電圧、ＶC は対向バス電極（対向電極）電圧をそれぞれ示し、また、図１乃至図３に於いて用いた記号と同記号は同部分を表すか或いは同じ意味を持つものとする。
【００３７】
図から明らかなように、ゲート・バス電極Ｇ１に対してスイッチング素子Ｔ１がオンになるゲート・バス電圧Ｖgon を印加するタイミング、即ち、Ｇ１選択期間に於いては、データ・バス電極Ｄ１に画素電極Ｐ１に書き込むデータであるデータ・バス電圧Ｖ１を印加する。
【００３８】
また、対向バス電極Ｍ２（対向電極Ｑ２）には、一定の対向バス電極（対向電極）電圧ＶC が印加されている。
【００３９】
その結果、画素電極Ｐ１と対向電極Ｑ２との間に在る液晶には、スイッチング素子Ｔ１を介してＶ１−ＶC の電圧が書き込まれる。尚、この際、ゲート・バス電極Ｇ２には、スイッチング素子Ｔ２をオフにする電圧Ｖgoffが印加されているので、対向電極Ｑ１と画素電極Ｐ２の間に在る液晶に於ける画素電圧は変わらない。
【００４０】
この後、ゲート・バス電極Ｇ１にスイッチング素子Ｔ１をオフにする電圧Ｖgoffが印加され、Ｇ１非選択期間に入り、画素電極Ｐ１と対向電極Ｑ２との間に在る液晶に書き込まれた電圧は、次のフレームの書き込みタイミングまで保持される。
【００４１】
次いで、ゲート・バス電極Ｇ２に対してスイッチング素子Ｔ２をオンにするゲート・バス電圧Ｖgon を印加するタイミング、即ち、Ｇ２選択期間に於いては、データ・バス電極Ｄ２に画素電極Ｐ２に書き込むデータであるデータ・バス電圧Ｖ２を印加する。
【００４２】
勿論、この場合も、対向バス電極Ｍ１（対向電極Ｑ１）には、一定の対向バス電極（対向電極）電圧ＶC が印加されている。
【００４３】
その結果、画素電極Ｐ２と対向電極Ｑ１との間に在る液晶には、スイッチング素子Ｔ２を介してＶ２−ＶC の電圧が書き込まれる。尚、この際、ゲート・バス電極Ｇ１には、スイッチング素子Ｔ１をオフにする電圧Ｖgoffが印加されているので、対向電極Ｑ２と画素電極Ｐ１の間に在る液晶に於ける画素電圧は変わらない。
【００４４】
この後、ゲート・バス電極Ｇ２にスイッチング素子Ｔ２をオフにする電圧Ｖgoffが印加され、Ｇ２非選択期間に入り、画素電極Ｐ２と対向電極Ｑ１との間に在る液晶に書き込まれた電圧は、次のフレームの書き込みタイミングまで保持される。
【００４５】
以後、前記した動作がフレーム毎に繰り返されて表示を行う。
【００４６】
前記したところから、本発明のアクティブ・マトリクス型液晶表示装置に於いては、
（１）
不透明な複数のゲート・バス電極（例えばゲート・バス電極Ｇ１）及び不透明な複数のデータ・バス電極（例えばデータ・バス電極Ｄ１）が形成され且つ該ゲート・バス電極と該データ・バス電極との交点に不透明なスイッチング素子（例えばスイッチング素子Ｔ１）が形成されると共に該スイッチング素子に接続された透明な画素電極（例えば画素電極Ｐ１）及び透明な対向電極（例えば対向電極Ｑ１）が形成された一方側の基板（例えば図１の（Ａ）を参照）と、前記一方側の基板と同様構成をもち且つ前記不透明な各バス電極或いは前記スイッチング素子の少なくとも一部が重なると共に画素電極（例えば画素電極Ｐ１）には対向電極（例えば対向電極Ｑ２）が且つ対向電極（例えば対向電極Ｑ１）には画素電極（例えば画素電極Ｐ２）がそれぞれ対応するように重ね合わされた他方側の基板（例えば図１の（Ｂ）を参照）と、前記重ね合わされた一方側の基板と他方側の基板との間に介挿された液晶（例えば液晶ＬＣ：図２の（Ｂ）を参照）とを備え、前記画素に対応して分離独立している対向電極をデータ・バス電極に直接接続（例えば図５参照）して成ることを特徴とするか、或いは、
【００４７】
（２）
前記（１）に於いて、同一側の基板（例えば図１７に見られる一方側基板）上に隣接して形成され且つ同一のスイッチング素子（例えばスイッチング素子Ｔ１）に接続された２画素分の画素電極（例えば画素電極Ｐ１１及びＰ１２）と、該画素電極の何れか一方（例えば画素電極Ｐ１１）に対応しデータ・バス電極（例えばデータ・バス電極Ｄ２）に直接接続された対向電極（例えば対向電極Ｑ１１）及び該画素電極の他方（例えば画素電極Ｐ１２）に対応し対向バス電極（例えば対向バス電極Ｍ２）に接続された対向電極（例えば対向電極Ｑ１２）とを備えてなることを特徴とするか、或いは、
【００４８】
（３）
前記（１）或いは（２）に於いて、画素電極とバス電極（例えば図２１、図２２参照）との間に生ずる空隙を対向基板上のバス電極を拡幅して埋めて成ること
を特徴とするか、或いは、
【００４９】
（４）
前記（１）乃至（３）の何れか１に於いて、スイッチング素子が基板側にゲート電極をもつ逆スタガ形式の薄膜トランジスタ（例えば図２７参照）であることを特徴とする。
【００５６】
前記手段を採ることに依り、一方側の基板上に在ったバス電極やスイッチング素子の半分が他方側の基板上に移され、その両基板を位置合わせして貼り合わせることで、例えば２画素を駆動する為の占有面積を単位として考えた場合、見掛け上、データ・バス電極の占有面積は１本分で済むことになり、従来に於いては２本分必要であったのと比較すると、少なくとも、データ・バス電極の占有面積の１本分を開口率の向上に振り向けることができる。
【００５７】
また、実施の形態の如何に依っては、見掛け上、スイッチング素子の占有面積も１個分で済み、従来に於いては２個分必要であったのと比較すると、スイッチング素子の占有面積の１個分を開口率の向上に振り向けることができる。
【００５８】
【発明の実施の形態】
図５は本発明に於ける実施の形態１を解説する為の液晶表示装置を表す要部平面図であり、図１乃至図４に於いて用いた記号と同記号は同部分を表すか或いは同じ意味を持つものとする。
【００５９】
図に於いて、（Ａ）は一方側の基板を表す平面、そして、（Ｂ）は他方側の基板を表す平面であり、一方側の基板には、ゲート・バス電極Ｇ１、データ・バス電極Ｄ１、ＴＦＴであるスイッチング素子Ｔ１、画素電極Ｐ１、対向電極Ｑ１、データ・バス電極Ｄ１と対向電極Ｑ１の接続穴Ｈ１が設けられ、また、他方側の基板には、ゲート・バス電極Ｇ２、データ・バス電極Ｄ２、ＴＦＴであるスイッチング素子Ｔ２、画素電極Ｐ２、対向電極Ｑ２、データ・バス電極Ｄ２と対向電極Ｑ２の接続穴Ｈ２が設けられている。
【００６０】
図６は図５の（Ａ）に見られる一方側基板と図５の（Ｂ）に見られる他方側基板とを貼り合わせて構成した液晶表示装置を表す要部説明図であって、図１乃至図５に於いて用いた記号と同記号は同部分を表すか或いは同じ意味を持つものとし、（Ａ）は要部平面、（Ｂ）は要部切断側面をそれぞれ示している。
【００６１】
図から明らかなように、一方側基板と他方側基板とは液晶層ＬＣを介して対向した構造になっていて、ゲート・バス電極Ｇ１とＧ２、及び、データ・バス電極Ｄ１とＤ２は、一方側基板と他方側基板とで重なって対向しているので、一方或いは他方から全体を見た場合、ゲート・バス電極Ｇ１とＧ２が一致して一本に見えると共にデータ・バス電極Ｄ１とＤ２とが一致して一本に見える。
【００６２】
図示の液晶表示装置に於いて、一方側基板上に形成された画素電極Ｐ１は、スイッチング素子Ｔ１を介してデータ・バス電極Ｄ１に接続され、また、対向電極Ｑ１はデータ・バス電極Ｄ１に接続穴Ｈ１を介して直接接続されていて、スイッチング素子Ｔ１はゲート・バス電極Ｇ１に依る印加電圧の如何でオン・オフ制御される。
【００６３】
同様に、他方側基板上に形成された画素電極Ｐ２は、スイッチング素子Ｔ２を介してデータ・バス電極Ｄ２に接続され、また、対向電極Ｑ２はデータ・バス電極Ｄ２に接続穴Ｈ２を介して直接接続されていて、スイッチング素子Ｔ２はゲート・バス電極Ｇ２に依る印加電圧の如何でオン・オフ制御される。
【００６４】
因みに、通常、データ・バス電極は、ガラスなどの透明絶縁性基板上に形成され、その上を絶縁膜で覆い、対向電極は、その絶縁膜上に形成されるので、データ・バス電極と対向電極とを直接接続するには、絶縁膜に接続穴を設けることが必要である。
【００６５】
図５及び図６と前記説明から、実施の形態１に於いては、画素がゲート・バス電極に沿って延在するものを対象とし、スイッチング素子Ｔ１とＴ２とがデータ・バス電極を挟んで振り分けられた構成を採っていることが理解されよう。
【００６６】
図７は図５及び図６について説明した液晶表示装置を表す要部等価回路図であり、図１乃至図６に於いて用いた記号と同記号は同部分を表すか或いは同じ意味を持つものとする。
【００６７】
図８は図５乃至図７について説明した液晶表示装置の動作を説明する為の駆動波形を表す線図であり、図１乃至図７に於いて用いた記号と同記号は同部分を表すか或いは同じ意味を持つものとする。
【００６８】
この液晶表示装置に於ける動作は、図４に見られる駆動波形の線図を用いて説明した図１乃至図３に見られる液晶表示装置の動作と同様であり、唯、図５乃至図７について説明した液晶表示装置では、対向電極Ｑ１がデータ・バス電極Ｄ１に直接接続され、また、対向電極Ｑ２がデータ・バス電極Ｄ２に直接接続されている為、対向バス電極Ｍ１及びＭ２は存在せず、従って、それ等について触れるところはない。
【００６９】
従来の液晶表示装置に於いて、２画素を駆動するには、１本のゲート・バス電極、２本のデータ・バス電極、２個のスイッチング素子を用いなければならず、見掛け上、それぞれが占有面積を必要とするが、本実施の形態では、見掛け上、データ・バス電極１本分の占有面積を少なくすることができ、その分、画素電極の面積を大きくして、開口率を向上させることができる。
【００７０】
また、本発明の原理を説明する為の図１乃至図４に示した液晶表示装置と比較すると、対向バス電極への信号入力が不要であるから、駆動回路を簡略化することが可能となり、従って、低コスト化することができる。
【００７１】
図９は本発明に於ける実施の形態２を解説する為の液晶表示装置を表す要部平面図であり、図１乃至図８に於いて用いた記号と同記号は同部分を表すか或いは同じ意味を持つものとする。
【００７２】
図に於いて、（Ａ）は一方側の基板を表す平面、そして、（Ｂ）は他方側の基板を表す平面であり、一方側の基板には、ゲート・バス電極Ｇ１、データ・バス電極Ｄ１、ＴＦＴであるスイッチング素子Ｔ１、画素電極Ｐ１、対向電極Ｑ１、データ・バス電極Ｄ１と対向電極Ｑ１の接続穴Ｈ１が設けられ、また、他方側の基板には、ゲート・バス電極Ｇ２、データ・バス電極Ｄ２、ＴＦＴであるスイッチング素子Ｔ２、画素電極Ｐ２、対向電極Ｑ２、データ・バス電極Ｄ２と対向電極Ｑ２の接続穴Ｈ２が設けられている。
【００７３】
図１０は図９の（Ａ）に見られる一方側基板と図９の（Ｂ）に見られる他方側基板とを貼り合わせて構成した液晶表示装置を表す要部説明図であって、図１乃至図９に於いて用いた記号と同記号は同部分を表すか或いは同じ意味を持つものとし、（Ａ）は要部平面、（Ｂ）は要部切断側面をそれぞれ示している。
【００７４】
図から明らかなように、一方側基板と他方側基板とは液晶層ＬＣを介して対向した構造になっていて、ゲート・バス電極Ｇ１とＧ２、及び、データ・バス電極Ｄ１とＤ２は、一方側基板と他方側基板とで重なって対向しているので、一方或いは他方から全体を見た場合、ゲート・バス電極Ｇ１とＧ２が一致して一本に見えると共にデータ・バス電極Ｄ１とＤ２とが一致して一本に見える。
【００７５】
図示の液晶表示装置に於いて、一方側基板上に形成された画素電極Ｐ１は、スイッチング素子Ｔ１を介してデータ・バス電極Ｄ１に接続され、また、対向電極Ｑ１はデータ・バス電極Ｄ１に接続穴Ｈ１を介して直接接続されていて、スイッチング素子Ｔ１はゲート・バス電極Ｇ１に依る印加電圧の如何でオン・オフ制御される。
【００７６】
同様に、他方側基板上に形成された画素電極Ｐ２は、スイッチング素子Ｔ２を介してデータ・バス電極Ｄ２に接続され、また、対向電極Ｑ２はデータ・バス電極Ｄ２に接続穴Ｈ２を介して直接接続されていて、スイッチング素子Ｔ２はゲート・バス電極Ｇ２に依る印加電圧の如何でオン・オフ制御される。
【００７７】
図１１は図９及び図１０について説明した液晶表示装置を表す要部等価回路図であり、図１乃至図１０に於いて用いた記号と同記号は同部分を表すか或いは同じ意味を持つものとする。
【００７８】
図１２は図９乃至図１０について説明した液晶表示装置の動作を説明する為の駆動波形を表す線図であり、図１乃至図１０に於いて用いた記号と同記号は同部分を表すか或いは同じ意味を持つものとする。
【００７９】
この液晶表示装置に於ける動作は、図４に見られる駆動波形の線図を用いて説明した図１乃至図３に見られる液晶表示装置の動作と同様である。
【００８０】
図９乃至図１１から明らかなように、本実施の形態に依る液晶表示装置では、画素がデータ・バス電極に沿って延在するものを対象とし、スイッチング素子Ｔ１とＴ２とがゲート・バス電極を挟んで振り分けられた構成を採っている。
【００８１】
実施の形態２に見られる構成にすると、ゲート・バス電極に沿った画素には同時に情報が書き込まれる。
【００８２】
具体的には、ゲート・バス電極Ｇ１がオンである時、ゲート・バス電極Ｇ２はオフであって、データ・バス電極Ｄ１には画素電極Ｐ１に対するデータ（情報）が印加され、また、データ・バス電極Ｄ１及び対抗電極Ｑ２には共通電圧が印加され、そして、画素Ｐ１に対しては、データ・バス電極Ｄ１からＴＦＴ１を介してデータが書き込まれ、その画素電極Ｐ１と対抗電極Ｑ２との電位差で液晶表示を行う。
【００８３】
次のタイミングに於いては、ゲート・バス電極Ｇ１がオフとなり、ゲート・バス電極Ｇ２はオンとなって、データ・バス電極Ｄ２には画素電極Ｐ２に対するデータ（情報）が印加され、また、データ・バス電極Ｄ１及び対抗電極Ｑ１には共通電圧が印加され、そして、画素Ｐ２に対しては、データ・バス電極Ｄ２からＴＦＴ２を介して前記データが書き込まれ、その画素電極Ｐ２と対抗電極Ｑ１との電位差で液晶表示を行う。以上説明した動作は、フレーム毎に繰り返される。
【００８４】
一般に、パソコンやビデオに於ける信号のデータ転送順序は、ゲート・バス電極に沿った画素のデータを転送した後、次のライン、即ち、図上では、下の画素列のデータを転送する方法が採られている。
【００８５】
従って、本実施の形態に見られる構成であれば、パソコンやビデオからの信号順序を変えることなく、そのまま、液晶表示装置に信号を転送して駆動することが可能であるから、制御回路のデータ転送順序変更回路を省略することができ、第一の実施の形態と比較すると、駆動回路の簡略化が実現され、低コスト化に寄与できる。
【００８６】
従来の液晶表示装置に於いて、２画素を駆動するには、ゲート・バス電極が２本、データ・バス電極が１本であって、見掛け上、それぞれが占有面積を必要とするが、本実施の形態では、見掛け上、ゲート・バス電極１本分の占有面積を少なくすることができ、従って、画素電極の面積を大きくして、開口率を向上させることができる。
【００８７】
また、本発明の原理を説明する為の図１乃至図４に示した液晶表示装置と比較すると、対向バス電極への信号入力が不要であるから、駆動回路を簡略化することが可能となり、従って、低コスト化することができる。
【００８８】
図１３は本発明に於ける実施の形態３を解説する為の液晶表示装置を表す要部平面図であり、図１乃至図１２に於いて用いた記号と同記号は同部分を表すか或いは同じ意味を持つものとする。
【００８９】
図に於いて、（Ａ）は一方側の基板を表す平面、また、（Ｂ）は他方側の基板を表す平面であり、一方側の基板には、ゲート・バス電極Ｇ１、データ・バス電極Ｄ１、薄膜トランジスタであるスイッチング素子Ｔ１、画素電極Ｐ１、対向電極Ｑ１、データ・バス電極Ｄ１と対向電極Ｑ１の接続穴Ｈ１が設けられ、他方側の基板には、ゲート・バス電極Ｇ２、データ・バス電極Ｄ２、薄膜トランジスタであるスイッチング素子Ｔ２、画素電極Ｐ２、対向電極Ｑ２、データ・バス電極Ｄ２と対向電極Ｑ２の接続穴Ｈ２が設けられている。
【００９０】
図１４は図１３の（Ａ）に見られる一方側基板と図１３の（Ｂ）に見られる他方側基板とを貼り合わせて構成した液晶表示装置を表す要部説明図であって、図１乃至図１３に於いて用いた記号と同記号は同部分を表すか或いは同じ意味を持つものとし、（Ａ）は要部平面、（Ｂ）は要部切断側面をそれぞれ示している。
【００９１】
図から明らかなように、一方側基板と他方側基板とは液晶層ＬＣを介して対向した構造になっていて、ゲート・バス電極Ｇ１とＧ２、及び、データ・バス電極Ｄ１とＤ２、更に、スイッチング素子Ｔ１とＴ２は、一方側基板と他方側基板とで重なって対向しているので、一方或いは他方から全体を見た場合、ゲート・バス電極Ｇ１とＧ２が一致して一本に見え、データ・バス電極Ｄ１とＤ２とが一致して一本に見え、スイッチング素子Ｔ１とＴ２とが一致して１個に見える。
【００９２】
図示の液晶表示装置に於いて、一方側基板上に形成された画素電極Ｐ１は、スイッチング素子Ｔ１を介してデータ・バス電極Ｄ１に接続され、また、対向電極Ｑ１はデータ・バス電極Ｄ１に接続穴Ｈ１を介して直接接続されていて、スイッチング素子Ｔ１はゲート・バス電極Ｇ１に依る印加電圧の如何でオン・オフ制御される。
【００９３】
同様に、他方側基板上に形成された画素電極Ｐ２は、スイッチング素子Ｔ２を介してデータ・バス電極Ｄ２に接続され、また、対向電極Ｑ２はデータ・バス電極Ｄ２に接続穴Ｈ２を介して直接接続されていて、スイッチング素子Ｔ２はゲート・バス電極Ｇ２に依る印加電圧の如何でオン・オフ制御される。
【００９４】
この液晶表示装置に於ける動作は、図４に見られる駆動波形の線図を用いて説明した図１乃至図３に見られる液晶表示装置の動作と同様である。
【００９５】
図１３及び図１４から明らかなように、本実施の形態に依る液晶表示装置に於いては、画素がデータ・バス電極に沿って延在するものを対象とし、スイッチング素子Ｔ１とＴ２とはゲート・バス電極の延長線上に跨がるように形成された構成を採っている。
【００９６】
実施の形態３に見られる構成にすると、実施の形態１及び２と同様、従来の技術に対する優位性を確保でき、且つ、見掛け上、データ・バス電極１本分の占有面積を少なくすることができるのは勿論のこと、実施の形態１及び２と比較すると、スイッチング素子の占有面積が見掛け上では１個分で済む為、その分、更に画素電極の面積を大きくして、開口率を向上させることができる。
【００９７】
尚、実施の形態３の構成を展開すると、一方側基板と他方側基板とに形成するスイッチング素子をそれぞれデータ・バス電極上に形成することで、一方側基板と他方側基板とを重ねた場合、見掛け上、１個分の占有面積で済むようにすることも可能である。
【００９８】
図１５は本発明に於ける実施の形態４を解説する為の液晶表示装置を表す要部等価回路図である。
【００９９】
図に於いて、Ｇ１並びにＧ２はゲート・バス電極、Ｄ１Ａ，Ｄ１Ｂ，Ｄ２Ａ，Ｄ２Ｂはデータ・バス電極、Ｔ１Ａ，Ｔ２Ａ，Ｔ１Ｂ，Ｔ２Ｂはスイッチング素子、Ｐ１Ａ，Ｐ２Ａ，Ｐ１Ｂ，Ｐ２Ｂは画素電極、Ｑ１Ａ，Ｑ２Ａ，Ｑ１Ｂ，Ｑ２Ｂは対向電極をそれぞれ示している。
【０１００】
この実施の形態４に於いて、記号の末尾にＡが付加された記号で指示された部材は一方側基板に形成され、また、記号の末尾にＢが付加された記号で指示された部材は他方側基板に形成されている。
【０１０１】
前記記号の説明から明らかであるが、この液晶表示装置では、実施の形態２を説明した図１１に見られる等価回路の二つ分を並列すると共に一方（紙面に向かって右側）の上下の基板を反転させた構成を採っている。
【０１０２】
即ち、隣接する画素のスイッチング素子が互いに別側基板に設けた構成になっていて、例えば、一方側基板には、ゲート・バス電極Ｇ１，データ・バス電極Ｄ１Ａ及びＤ２Ａ，画素電極Ｐ１Ａ及びＰ２Ａ，対向電極Ｑ１Ａ及びＱ２Ａ，スイッチング素子Ｔ１Ａ及びＴ２Ａが形成されている。
【０１０３】
また、他方側基板には、ゲート・バス電極Ｇ２，データ・バス電極Ｄ１Ｂ及びＤ２Ｂ，画素電極Ｐ１Ｂ及びＰ２Ｂ，対向電極Ｑ１Ｂ及びＱ２Ｂ，スイッチング素子Ｔ１Ｂ及びＴ２Ｂが形成されている。
【０１０４】
画素電極Ｐ１Ａはスイッチング素子Ｔ１Ａを介してデータ・バス電極Ｄ１Ａに接続され、また、画素電極Ｐ２Ａはスイッチング素子Ｔ２Ａを介してデータ・バス電極Ｄ２Ａに接続され、更に、対向電極Ｑ２Ｂはデータ・バス電極Ｄ１Ｂに、また、対向電極Ｑ１Ｂはデータ・バス電極Ｄ２Ｂにそれぞれ接続されている。
【０１０５】
画素電極Ｐ１Ｂはスイッチング素子Ｔ１Ｂを介してデータ・バス電極Ｄ２Ｂに接続され、また、画素電極Ｐ２Ｂはスイッチング素子Ｔ２Ｂを介してデータ・バス電極Ｄ１Ｂに接続され、更に、対向電極Ｑ２Ａはデータ・バス電極Ｄ２Ａに、また、対向電極Ｑ１Ａはデータ・バス電極Ｄ１Ａにそれぞれ接続されている。
【０１０６】
図１６は図１５について説明した液晶表示装置の動作を説明する為の駆動波形を表す線図であり、図１５に於いて用いた記号と同記号は同部分を表すか或いは同じ意味を持つものとする。
【０１０７】
図から明らかなように、ゲート・バス電極Ｇ１の選択期間に画素電極Ｐ１Ａ及びＰ２Ａへの書き込みが行われ、次のゲート・バス電極Ｇ２の選択期間に画素電極Ｐ１Ｂ及びＰ２Ｂへの書き込みが行われる。
【０１０８】
実施の形態４に見られる構成を採った場合、書き込み時期が分散されることになって、実施の形態１などで行われる１ライン毎の書き込みで発生するライン・フリッカ、即ち、書き込みラインが視認され、点滅するように見える現象は防止される。
【０１０９】
図１７は本発明に於ける実施の形態５を解説する為の液晶表示装置を表す要部平面図であり、図１乃至図１４に於いて用いた記号と同記号は同部分を表すか或いは同じ意味を持つものとする。
【０１１０】
図に於いて、（Ａ）は一方側の基板を表す平面、そして、（Ｂ）は他方側の基板を表す平面であり、一方側の基板には、ゲート・バス電極Ｇ１、データ・バス電極Ｄ１、対向バス電極Ｍ１、ＴＦＴであるスイッチング素子Ｔ１、画素電極Ｐ１１及びＰ１２、対向電極Ｑ２１及びＱ２２、データ・バス電極Ｄ１と対向電極Ｑ２１の接続穴Ｈ２１、対向バス電極Ｍ１と対向電極Ｑ２２の接続穴Ｈ２２が設けられ、また、他方側の基板には、ゲート・バス電極Ｇ２、データ・バス電極Ｄ２、対向バス電極Ｍ２、ＴＦＴであるスイッチング素子Ｔ２、画素電極Ｐ２１及びＰ２２、対向電極Ｑ１１及びＱ１２、データ・バス電極Ｄ２と対向電極Ｑ１１の接続穴Ｈ１１、対向バス電極Ｍ２と対向電極Ｑ１２の接続穴Ｈ１２が設けられている。
【０１１１】
図１８は図１７の（Ａ）に見られる一方側基板と図１７の（Ｂ）に見られる他方側基板とを貼り合わせて構成した液晶表示装置を表す要部平面図であって、図１乃至図１７に於いて用いた記号と同記号は同部分を表すか或いは同じ意味を持つものとする。
【０１１２】
一方側基板と他方側基板とは液晶層を介して対向した構造になっていることから、画素電極Ｐ１１と対向電極Ｑ１１、画素電極Ｐ１２と対向電極Ｑ１２、画素電極Ｐ２１と対向電極Ｑ２１、画素電極Ｐ２２と対向電極Ｑ２２は、それぞれ液晶層を介して対向している。尚、各画素電極及び各対向電極は共に透明材料で構成されている。
【０１１３】
ゲート・バス電極Ｇ１とＧ２、及び、データ・バス電極Ｄ１とＤ２、更に、スイッチング素子Ｔ１とＴ２は、一方側基板と他方側基板とで重なって対向しているので、一方或いは他方から全体を見た場合、ゲート・バス電極Ｇ１とＧ２が一致して一本に見え、データ・バス電極Ｄ１とＤ２とが一致して一本に見え、スイッチング素子Ｔ１とＴ２とが一致して１個に見える。
【０１１４】
一方側基板上に形成された画素電極Ｐ１１及びＰ１２は、スイッチング素子Ｔ１を介してデータ・バス電極Ｄ１に接続され、また、対向電極Ｑ２１はデータ・バス電極Ｄ１に接続穴Ｈ２１を介して直接接続され、且つ、対向電極Ｑ２２は対向バス電極Ｍ１に接続穴Ｈ２２を介して直接接続されていて、スイッチング素子Ｔ１はゲート・バス電極Ｇ１に依る印加電圧の如何でオン・オフ制御される。
【０１１５】
同様に、他方側基板上に形成された画素電極Ｐ２１及びＰ２２は、スイッチング素子Ｔ２を介してデータ・バス電極Ｄ２に接続され、また、対向電極Ｑ１１はデータ・バス電極Ｄ２に接続穴Ｈ１１を介して直接接続され、且つ、対向電極Ｑ１２は対向バス電極Ｍ２に接続穴Ｈ１２を介して直接接続されていて、スイッチング素子Ｔ２はゲート・バス電極Ｇ２に依る印加電圧の如何でオン・オフ制御される。
【０１１６】
図１９は図１７及び図１８について説明した液晶表示装置を表す要部等価回路図であり、図１乃至図１８に於いて用いた記号と同記号は同部分を表すか或いは同じ意味を持つものとする。
【０１１７】
図２０は図１７及び図１８について説明した液晶表示装置の動作を説明する為の駆動波形を表す線図であり、図１乃至図１９に於いて用いた記号と同記号は同部分を表すか或いは同じ意味を持つものとする。
【０１１８】
図に於いて、
Ｖgon ：スイッチング素子をオン状態にするゲート・バス電圧
Ｖgoff：スイッチング素子をオフ状態にするゲート・バス電圧
Ｖ１１：画素電極Ｐ１１と対向電極Ｑ１１で挟まれた液晶に書き込まれる表示データに応じた電圧
Ｖ１２：画素電極Ｐ１２と対向電極Ｑ１２で挟まれた液晶に書き込まれる表示データに応じた電圧
Ｖ２１：画素電極Ｐ２１と対向電極Ｑ２１で挟まれた液晶に書き込まれる表示データに応じた電圧
Ｖ２２：画素電極Ｐ２２と対向電極Ｑ２２で挟まれた液晶に書き込まれる表示データに応じた電圧
ＶC ：対向バス電極Ｍ１及びＭ２に常時印加されている一定電圧
をそれぞれ示している。
【０１１９】
ところで、さきに図１９として示した等価回路を見れば明らかであるが、例えば、画素電極Ｐ１１と対向電極Ｑ１１とからなる画素には、ゲート・バス電極Ｇ１がオンの時、画素電極Ｐ１１には電圧Ｖ１２が、また、対向電極Ｑ１１にはデータ・バス電極Ｄ２から電圧Ｖ１２−Ｖ１１が印加される。
【０１２０】
その結果、画素電極Ｐ１１と対向電極Ｑ１１とに挟まれた液晶には、Ｖ１２−（Ｖ１２−Ｖ１１）＝Ｖ１１なる電圧のかたちで表示データが書き込まれ、そして、次のフレームでは、液晶を対称駆動する必要から、負の電圧を書き込まなければならない。従って、−Ｖ１１、−Ｖ１２、−Ｖ２１、−Ｖ２２の各電圧が必要である。
【０１２１】
図から明らかなように、ゲート・バス電極Ｇ１に対してスイッチング素子Ｔ１がオンになるゲート・バス電圧Ｖgon を印加するタイミング、即ち、Ｇ１選択期間に於いては、データ・バス電極Ｄ１に画素電極Ｐ１２に書き込むデータであるデータ・バス電圧Ｖ１２を印加し、また、データ・バス電極Ｄ２にデータ・バス電圧Ｖ１２−Ｖ１１を印加する。
【０１２２】
その結果、画素電極Ｐ１１及びＰ１２には、スイッチング素子Ｔ１を介してデータ・バス電極Ｄ１のデータ・バス電圧Ｖ１２が書き込まれる。
【０１２３】
対向電極Ｑ１１はデータ・バス電極Ｄ２に接続されているので、その電圧はＶ１２−Ｖ１１になっている。従って、画素電極Ｐ１１と対向電極Ｑ１１に挟まれた液晶には、これ等電極間の電位差であるＶ１２−（Ｖ１２−Ｖ１１）＝Ｖ１１の電圧が印加される。
【０１２４】
また、対向電極Ｑ１２は対向バス電極Ｍ２に接続されている為、その電圧は０〔Ｖ〕になっている。従って、画素電極Ｐ１２と対向電極Ｑ１２に挟まれた液晶には、これ等電極間の電位差であるＶ１２−０〔Ｖ〕＝Ｖ１２の電圧が印加されるものである。
【０１２５】
この際、ゲート・バス電極Ｇ２には、スイッチング素子Ｔ２をオフにする電圧Ｖgoffが印加され、Ｇ２非選択期間に入っている為、画素電極Ｐ２１と対向電極Ｑ２１の間に在る液晶に書き込まれている画素電圧、及び、画素電極Ｐ２２と対向電極Ｑ２２の間に在る液晶に書き込まれている画素電圧は両方共変わりない。
【０１２６】
この後、ゲート・バス電極Ｇ１にスイッチング素子Ｔ１をオフにする電圧Ｖgoffが印加され、Ｇ１非選択期間に入り、画素電極Ｐ１１と対向電極Ｑ１１との間に在る液晶、画素電極Ｐ１２と対向電極Ｑ１２との間に在る液晶にそれぞれ書き込まれた画素電圧は、次のフレームの書き込みタイミングまで保持される。
【０１２７】
次いで、ゲート・バス電極Ｇ２に対してスイッチング素子Ｔ２をオンにするゲート・バス電圧Ｖgon を印加するタイミング、即ち、Ｇ２選択期間に於いては、データ・バス電極Ｄ２に画素電極Ｐ２２に書き込むデータであるデータ・バス電圧Ｖ２２を印加し、また、データ・バス電極Ｄ１にデータ・バス電圧Ｖ２２−Ｖ２１を印加する。
【０１２８】
その結果、画素電極Ｐ２１及びＰ２２には、スイッチング素子Ｔ２を介してデータ・バス電極Ｄ２のデータ・バス電圧Ｖ２２が書き込まれる。
【０１２９】
対向電極Ｑ２１はデータ・バス電極Ｄ１に接続されているので、その電圧はＶ２２−Ｖ２１になっている。従って、画素電極Ｐ２１と対向電極Ｑ２１に挟まれた液晶には、これ等電極間の電位差であるＶ２２−（Ｖ２２−Ｖ２１）＝Ｖ２１の電圧が印加される。
【０１３０】
また、対向電極Ｑ２２は対向バス電極Ｍ１に接続されている為、その電圧は０〔Ｖ〕になっている。従って、画素電極Ｐ２２と対向電極Ｑ２２に挟まれた液晶には、これ等電極間の電位差であるＶ２２−０〔Ｖ〕＝Ｖ２２の電圧が印加されるものである。
【０１３１】
この際、ゲート・バス電極Ｇ１には、スイッチング素子Ｔ１をオフにする電圧Ｖgoffが印加され、Ｇ１非選択期間に入っている為、画素電極Ｐ１１と対向電極Ｑ１１の間に在る液晶に書き込まれている画素電圧、及び、画素電極Ｐ１２と対向電極Ｑ１２の間に在る液晶に書き込まれている画素電圧は両方共変わらない。
【０１３２】
この後、ゲート・バス電極Ｇ２にスイッチング素子Ｔ２をオフにする電圧Ｖgoffが印加され、Ｇ２非選択期間に入り、画素電極Ｐ２１と対向電極Ｑ２１との間に在る液晶、画素電極Ｐ２２と対向電極Ｑ２２との間に在る液晶にそれぞれ書き込まれた画素電圧は、次のフレームの書き込みタイミングまで保持される。
【０１３３】
以後、前記した動作がフレーム毎に繰り返されて表示を行う。
【０１３４】
従来の液晶表示装置に於いて、４画素を駆動するには、２本のゲート・バス電極、２本のデータ・バス電極、１本の対向バス電極、４個のスイッチング素子を用いなければならず、見掛け上、それぞれが占有面積を必要とするが、本実施の形態では、見掛け上、ゲート・バス電極１本分、データ・バス電極１本分、スイッチング素子３個分の占有面積を少なくすることができ、その分、画素電極の面積を大きくして、開口率を向上させることができる。
【０１３５】
図１７及び図１８から明らかなように、本実施の形態に依る液晶表示装置に於いては、一定電圧を印加する対向バス電極は２本になるが、ゲート・バス電極及びデータ・バス電極は共に従来液晶表示装置と同じにすることができる。
【０１３６】
実施の形態５に見られる構成にすると、実施の形態１乃至４と同様、従来の技術に対する優位性を確保でき、且つ、見掛け上、ゲート・バス電極１本分、データ・バス電極１本分、スイッチング素子３個分の占有面積を少なくすることができるのは勿論である。
【０１３７】
また、図１乃至図４について説明したアクティブ・マトリクス型液晶表示装置では、２画素駆動する為、一方側及び他方側各基板併せて、ゲート・バス駆動回路２個、データ・バス駆動回路２個、対向バス駆動回路１を必要とし、従って、４画素駆動する為には、ゲート・バス駆動回路が倍数、即ち、４個を必要とするのであるが、本実施の形態では、ゲート・バス駆動回路２個、データ・バス駆動回路２個、対向バス駆動回路１個で良く、従来の２画素駆動のものと同数で駆動可能である。尚、対向バス駆動回路が１個で済むのは、対向バス電極Ｍ１及びＭ２に同一電圧を常時印加しておけば良いことに依る。
【０１３８】
このように、本実施の形態に見られる構成を採れば、画素駆動数を基準にして比較した場合、従来例や本発明に於ける他の実施の形態よりも、駆動回路数を少なくすることができるので、回路のコストを低減することができる。
【０１３９】
図２１は本発明に於ける実施の形態６を解説する為の液晶表示装置を表す要部平面図であり、図１乃至図２０に於いて用いた記号と同記号は同部分を表すか或いは同じ意味を持つものとする。
【０１４０】
図２２は図２１の（Ａ）に見られる一方側基板と図２１の（Ｂ）に見られる他方側基板とを貼り合わせて構成した液晶表示装置を表す要部平面図であって、図１乃至図２１に於いて用いた記号と同記号は同部分を表すか或いは同じ意味を持つものとする。
【０１４１】
図２３は図２１及び図２２に見られる液晶表示装置を表す要部切断側面図であって、図１乃至図２２に於いて用いた記号と同記号は同部分を表すか或いは同じ意味を持つものとする。
【０１４２】
図２４は図２１乃至図２３に見られる液晶表示装置を表す要部等価回路図であり、図１乃至図２３に於いて用いた記号と同記号は同部分を表すか或いは同じ意味を持つものとする。
【０１４３】
図２１乃至図２３から明らかなように、実施の形態６の基本的構成は実施の形態５と同じであるが、画素電極Ｐ１１及びＰ１２と対向バス電極Ｍ１との交差部分を蓄積容量Ｃ１とし、また、画素電極Ｐ２１とＰ２２と対向バス電極Ｍ２との交差部分を蓄積容量Ｃ２とした構成が異なっている。
【０１４４】
その結果、図２４に見られるように、画素電極Ｐ１１と対向電極Ｑ１１との間に在る液晶、及び、画素電極Ｐ１２と対向電極Ｑ１２との間に在る液晶には蓄積容量Ｃ１が並列接続され、また、画素電極Ｐ２１と対向電極Ｑ２１との間に在る液晶、及び、画素電極Ｐ２２と対向電極Ｑ２２との間に在る液晶には蓄積容量Ｃ２が並列接続された構成になっている。
【０１４５】
このように、蓄積容量Ｃ１やＣ２を設けると、ＴＦＴからなるスイッチング素子Ｔ１やＴ２が不良で、ゲート電極にオフ電圧が印加された状態でも完全にオフとならず、画素に書き込まれた電荷がデータ・バス電極Ｄ１やＤ２にリークした場合、或いは、液晶に不純物が混入したことで、液晶抵抗が低く、画素に書き込まれた電荷が対向電極Ｑ１１乃至Ｑ２２にリークした場合などに於いては、前記書き込まれた電荷は蓄積容量Ｃ１やＣ２に向かってリークされるので、その悪影響は緩和されることになる。
【０１４６】
また、このような蓄積容量Ｃ１やＣ２などは、対向バス電極Ｍ１やＭ２の存在で、容易に形成することができ、スイッチング素子Ｔ１やＴ２、或いは、液晶などが不良であることに依る影響を緩和することができる為、液晶表示装置の製造歩留りの向上、従って、コストの低減に有効である。尚、本実施の形態は、対向バス電極をもつ他の実施の形態に適用しても、同じ効果を奏することができる。
【０１４７】
図２５は本発明に於ける実施の形態７を解説する為の液晶表示装置を表す要部平面図であり、図１乃至図２４に於いて用いた記号と同記号は同部分を表すか或いは同じ意味を持つものとする。
【０１４８】
図２６は図２５の（Ａ）に見られる一方側基板と図２５の（Ｂ）に見られる他方側基板とを貼り合わせて構成した液晶表示装置を表す要部平面図であって、図１乃至図２５に於いて用いた記号と同記号は同部分を表すか或いは同じ意味を持つものとする。
【０１４９】
実施の形態７の等価回路及び動作を説明する為の駆動波形は実施の形態５と同じである。尚、動作を説明する駆動波形が実施の形態５と同じであることは、実施の形態６とも同じであることを意味する。
【０１５０】
本実施の形態では、ゲート・バス電極Ｇ１の幅を広げ、対向電極Ｑ２１とゲート・バス電極Ｇ１との間隙を埋める構成、及び、ゲート・バス電極Ｇ２の幅を広げ、対向電極Ｑ１１とゲート・バス電極Ｇ２との間隙を埋める構成、及び、画素電極と対向電極との間で生成される間隙（図２５の破線ハッチング部分）を対向バス電極Ｍ１或いはＭ２などで埋めた構成、の三つの構成を併用している。
【０１５１】
このようにすることで、図２６に見られるように、画素部分、即ち、開口部分を除き、全て金属で覆われた構成になり、その結果、画素電極と各バス電極、或いは、対向電極と各バス電極との間隙から、漏光が防止され、表示品質を向上させることができる。
【０１５２】
本実施の形態では、前記したように、三つの構成を併用して諸間隙を埋めているが、この三つの構成を選択的に利用し、一部分の間隙でも埋めれば、その分の表示品質向上を期待することができる。
【０１５３】
図２７は本発明に於ける実施の形態８を解説する為の液晶表示装置を表す要部切断側面図であり、図１乃至図２６に於いて用いた記号と同記号は同部分を表すか或いは同じ意味を持つものとする。
【０１５４】
図に於いて、ＣH1及びＣH2はＴＦＴのチャネル層、ＧE1及びＧE2はゲート電極をそれぞれ示している。
【０１５５】
本実施の形態に於いて、ＴＦＴからなるスイッチング素子は、ゲート電極ＧE1及びＧE2が基板側に配設される逆スタガ形式にしてあるので、それらゲート電極ＧE1及びＧE2が遮光膜の役割を果たし、図３１について説明した従来の液晶表示装置のように、遮光膜を別設する必要はない。
【０１５６】
逆スタガ形式のＴＦＴを用いれば、そのゲート電極が遮光膜の役割を果たすことは知られているが、本発明の液晶表示装置では、ＴＦＴからなるスイッチング素子が、一方側と他方側の基板にそれぞれ振り分けて形成されていることから、逆スタガ形式を採ることに依って、製造プロセスの簡略化、従って、コスト低減の面で大きな利点がある。
【０１５７】
【発明の効果】
本発明に依るアクティブ・マトリクス型液晶表示装置に於いては、複数のゲート・バス電極及び複数のデータ・バス電極が形成され且つ該ゲート・バス電極と該データ・バス電極との交点にスイッチング素子が形成されると共に該スイッチング素子に接続された画素電極及び対向電極が形成された一方側の基板、一方側の基板と同様構成をもち且つ各バス電極或いはスイッチング素子の少なくとも一部が重なると共に画素電極には対向電極が且つ対向電極には画素電極がそれぞれ対応するように重ね合わされた他方側の基板、重ね合わされた一方側の基板と他方側の基板との間に介挿された液晶を備える。
【０１５８】
前記構成を採ることに依り、一方側の基板上に在ったバス電極やスイッチング素子の半分が他方側の基板上に移され、その両基板を位置合わせして貼り合わせることで、例えば２画素を駆動する為の占有面積を単位として考えた場合、見掛け上、データ・バス電極の占有面積は１本分で済むことになり、従来に於いては２本分必要であったのと比較すると、少なくとも、データ・バス電極の占有面積の１本分を開口率の向上に振り向けることができる。
【０１５９】
また、実施の形態の如何に依っては、見掛け上、スイッチング素子の占有面積も１個分で済み、従来に於いては２個分必要であったのと比較すると、スイッチング素子の占有面積の１個分を開口率の向上に振り向けることができるなど、バス電極やスイッチング素子などの占有面積を平面で見た場合に実効的に低減させる上で卓効がある。
【図面の簡単な説明】
【図１】本発明の原理を解説する為のアクティブ・マトリクス型液晶表示装置を表す要部平面図である。
【図２】図１の（Ａ）に見られる一方側基板と図１の（Ｂ）に見られる他方側基板とを貼り合わせて構成した液晶表示装置を表す要部説明図である。
【図３】図１及び図２について説明した液晶表示装置を表す要部等価回路図である。
【図４】図１乃至図３について説明した液晶表示装置の動作を説明する為の駆動波形を表す線図である。
【図５】本発明に於ける実施の形態１を解説する為の液晶表示装置を表す要部平面図である。
【図６】図５の（Ａ）に見られる一方側基板と図５の（Ｂ）に見られる他方側基板とを貼り合わせて構成した液晶表示装置を表す要部説明図である。
【図７】図５及び図６について説明した液晶表示装置を表す要部等価回路図である。
【図８】図５乃至図７について説明した液晶表示装置の動作を説明する為の駆動波形を表す線図である。
【図９】本発明に於ける実施の形態２を解説する為の液晶表示装置を表す要部平面図である。
【図１０】図９の（Ａ）に見られる一方側基板と図９の（Ｂ）に見られる他方側基板とを貼り合わせて構成した液晶表示装置を表す要部説明図である。
【図１１】図９及び図１０について説明した液晶表示装置を表す要部等価回路図である。
【図１２】図９乃至図１０について説明した液晶表示装置の動作を説明する為の駆動波形を表す線図である。
【図１３】本発明に於ける実施の形態３を解説する為の液晶表示装置を表す要部平面図である。
【図１４】図１３の（Ａ）に見られる一方側基板と図１３の（Ｂ）に見られる他方側基板とを貼り合わせて構成した液晶表示装置を表す要部説明図である。
【図１５】本発明に於ける実施の形態４を解説する為の液晶表示装置を表す要部等価回路図である。
【図１６】図１５について説明した液晶表示装置の動作を説明する為の駆動波形を表す線図である。
【図１７】本発明に於ける実施の形態５を解説する為の液晶表示装置を表す要部平面図である。
【図１８】図１７の（Ａ）に見られる一方側基板と図１７の（Ｂ）に見られる他方側基板とを貼り合わせて構成した液晶表示装置を表す要部平面図である。
【図１９】図１７並びに図１８について説明した液晶表示装置を表す要部等価回路図である。
【図２０】図１７並びに図１８について説明した液晶表示装置の動作を説明する為の駆動波形を表す線図である。
【図２１】本発明に於ける実施の形態６を解説する為の液晶表示装置を表す要部平面図である。
【図２２】図２１の（Ａ）に見られる一方側基板と図２１の（Ｂ）に見られる他方側基板とを貼り合わせて構成した液晶表示装置を表す要部平面図である。
【図２３】図２１並びに図２２に見られる液晶表示装置を表す要部切断側面図である。
【図２４】図２１乃至図２３に見られる液晶表示装置を表す要部等価回路図である。
【図２５】本発明に於ける実施の形態７を解説する為の液晶表示装置を表す要部平面図である。
【図２６】図２５の（Ａ）に見られる一方側基板と図２５の（Ｂ）に見られる他方側基板とを貼り合わせて構成した液晶表示装置を表す要部平面図である。
【図２７】本発明に於ける実施の形態８を解説する為の液晶表示装置を表す要部切断側面図である。
【図２８】従来のアクティブ・マトリクス型液晶表示装置を表す要部説明図である。
【図２９】従来のアクティブ・マトリクス型液晶表示装置を表す要部説明図である。
【図３０】図２８及び図２９について説明したアクティブ・マトリクス型液晶表示装置の動作を説明する為の駆動波形を表す線図である。
【図３１】従来のアクティブ・マトリクス型液晶表示装置を表す要部切断側面図である。
【符号の説明】
Ｇ１及びＧ２  ゲート・バス電極
Ｄ１及びＤ２  データ・バス電極
Ｔ１及びＴ２  スイッチング素子
Ｐ１及びＰ２  画素電極
Ｑ１及びＱ２  対向電極
Ｍ１  例えばＱ１など奇数記号側の対向電極を接続する対向バス電極
Ｍ２  例えばＱ２など偶数記号側の対向電極を接続する対向バス電極
ＬＣ  液晶
Ｈ１及びＨ２  接続穴
Ｖgon   スイッチング素子をオン状態にするゲート・バス電圧
Ｖgoff  スイッチング素子をオフ状態にするゲート・バス電圧
Ｖ１，−Ｖ１，Ｖ２，−Ｖ２  データ・バス電圧
ＶC   対向バス電極（対向電極）電圧
【図１】
0003635475.tif 000002
【図２】
0003635475.tif 000003
【図３】
0003635475.tif 000004
【図４】
0003635475.tif 000005
【図５】
0003635475.tif 000006
【図６】
0003635475.tif 000007
【図７】
0003635475.tif 000008
【図８】
0003635475.tif 000009
【図９】
0003635475.tif 000010
【図１０】
0003635475.tif 000011
【図１１】
0003635475.tif 000012
【図１２】
0003635475.tif 000013
【図１３】
0003635475.tif 000014
【図１４】
0003635475.tif 000015
【図１５】
0003635475.tif 000016
【図１６】
0003635475.tif 000017
【図１７】
0003635475.tif 000018
【図１８】
0003635475.tif 000019
【図１９】
0003635475.tif 000020
【図２０】
0003635475.tif 000021
【図２１】
0003635475.tif 000022
【図２２】
0003635475.tif 000023
【図２３】
0003635475.tif 000024
【図２４】
0003635475.tif 000025
【図２５】
0003635475.tif 000026
【図２６】
0003635475.tif 000027
【図２７】
0003635475.tif 000028
【図２８】
0003635475.tif 000029
【図２９】
0003635475.tif 000030
【図３０】
0003635475.tif 000031
【図３１】
0003635475.tif 000032